(57)【特許請求の範囲】
【請求項１】
ユーザに提供すべき情報を表示する携帯端末と、前記携帯端末が提供すべきページ情報を保持するページ情報サーバとを備えた情報提供システムであって、
前記ページ情報サーバは、
第１識別情報および第２識別情報により特定される前記ページ情報を、前記第１識別情報および前記第２識別情報に対応付けて収集するページ情報収集手段と、
前記ページ情報収集手段が保持する前記ページ情報から前記第１識別情報および前記第２識別情報に基づいて、所定の前記ページ情報を抽出するページ情報抽出手段と、
前記ページ情報抽出手段が抽出した前記ページ情報を前記携帯端末に送信する通信手段と
を有し、
前記携帯端末は、
前記ページ情報収集手段から、前記通信手段を介して第１ページ情報を抽出するページ情報抽出手段と、
前記ページ情報抽出手段が抽出した前記第１ページ情報を表示画面に表示するページ情報表示手段と、
前記ページ情報表示手段がこれまでに表示した前記ページ情報の前記第１識別情報および前記第２識別情報を蓄積する識別情報蓄積手段と、
前記識別情報蓄積手段が蓄積している前記第１識別情報を前記第１ページ情報と同時に前記表示画面に表示する第１識別情報表示手段と、
前記第１識別情報表示手段により表示された前記第１識別情報がユーザにより選択された場合に、ユーザから選択された前記第１識別情報を特定する選択第１識別情報特定手段と、
前記第１識別情報表示手段により表示された前記第１識別情報がユーザにより選択されたときに、前記表示画面に表示されていた前記第１ページ情報の前記第２識別情報である表示中第２識別情報を特定する表示中第２識別情報特定手段と
を有し、
前記ページ情報抽出手段は、前記選択第１識別情報特定手段により特定された前記第１識別情報および前記表示中第２識別情報特定手段により特定された前記表示中第２識別情報に基づいて、前記ページ情報収集手段から前記通信手段を介して第２ページ情報を抽出し、
前記ページ情報表示手段は、前記第１ページ情報から、他のページ情報を介することなく連続して、前記第１ページ情報に対応する前記第２識別情報と同一の前記第２識別情報に対応する前記第２ページ情報に切り換えて前記表示画面に表示し、
前記識別情報蓄積手段が蓄積している前記第２識別情報を前記第１ページ情報と同時に前記表示画面に表示する第２識別情報表示手段と、
前記第２識別情報表示手段により表示された前記第２識別情報がユーザにより選択された場合に、ユーザから選択された前記第２識別情報を特定する選択第２識別情報特定手段と、
前記第２識別情報表示手段により表示された前記第２識別情報がユーザにより選択されたときに、前記表示画面に表示されていた前記第１ページ情報の前記第１識別情報である表示中第１識別情報を特定する表示中第１識別情報特定手段と
をさらに有し、
前記ページ情報抽出手段は、前記選択第２識別情報特定手段により特定された前記第２識別情報および前記表示中第１識別情報特定手段により特定された前記表示中第１識別情報に基づいて、前記ページ情報収集手段から前記通信手段を介して第３ページ情報を抽出し、
前記ページ情報表示手段は、前記第１ページ情報から、他のページ情報を介することなく連続して、前記第１ページ情報に対応する前記第１識別情報と同一の前記第１識別情報に対応する前記第３ページ情報に切り換えて表示することを特徴とする情報提供システム。
【請求項２】
前記第１識別情報は、有価証券の銘柄であって、前記第２識別情報は、有価証券における各種情報を識別する情報種別であることを特徴とする請求項１に記載の情報提供システム。
【請求項３】
前記ページ情報表示手段が表示中の前記ページ情報の前記第２識別情報を保持する表示中第２識別情報保持手段をさらに備え、
前記表示中第２識別情報特定手段は、前記表示中第２識別情報保持手段が保持する前記第２識別情報を、前記表示中第２識別情報として特定することを特徴とする請求項１または２に記載の情報提供システム。
【請求項４】
前記ページ情報表示手段が表示中の前記ページ情報の前記第１識別情報を保持する表示中第１識別情報保持手段をさらに備え、
前記表示中第１識別情報特定手段は、前記表示中第１識別情報保持手段が保持する前記第１識別情報を、前記表示中第２識別情報として特定することを特徴とする請求項１から３のいずれか一項に記載の情報提供システム。
【請求項５】
前記識別情報蓄積手段は、蓄積している前記第１識別情報および前記第２識別情報の数が予め設定された閾値と等しい場合には、最も古い前記第１識別情報および前記第２識別情報を削除した後に新たな前記第１識別情報および前記第２識別情報を蓄積することを特徴とする請求項１から４のいずれか一項に記載の情報提供システム。
【請求項６】
第１識別情報および第２識別情報により特定されるページ情報を、前記第１識別情報および前記第２識別情報に対応付けて収集するページ情報収集手段から、ネットワークを介して第１ページ情報を抽出するページ情報抽出手段と、
前記ページ情報抽出手段が抽出した前記第１ページ情報を表示画面に表示するページ情報表示手段と、
前記ページ情報表示手段がこれまでに表示した前記ページ情報の前記第１識別情報および前記第２識別情報を蓄積する識別情報蓄積手段と、
前記識別情報蓄積手段が蓄積している前記第１識別情報を前記第１ページ情報と同時に前記表示画面に表示する第１識別情報表示手段と、
前記第１識別情報表示手段により表示された前記第１識別情報がユーザにより選択された場合に、ユーザから選択された前記第１識別情報を特定する選択第１識別情報特定手段と、
前記第１識別情報表示手段により表示された前記第１識別情報がユーザにより選択されたときに、前記表示画面に表示されていた前記第１ページ情報の前記第２識別情報である表示中第２識別情報を特定する表示中第２識別情報特定手段と
を備え、
前記ページ情報抽出手段は、前記選択第１識別情報特定手段により特定された前記第１識別情報および前記表示中第２識別情報特定手段により特定された前記表示中第２識別情報に基づいて、前記ページ情報収集手段から前記ネットワークを介して前記第２ページ情報を抽出し、
前記ページ情報表示手段は、前記第１ページ情報から、他のページ情報を介することなく連続して、前記第１ページ情報に対応する前記第２識別情報と同一の前記第２識別情報に対応する前記第２ページ情報に切り換えて前記表示画面に表示し、
前記識別情報蓄積手段が蓄積している前記第２識別情報を前記第１ページ情報と同時に前記表示画面に表示する第２識別情報表示手段と、
前記第２識別情報表示手段により表示された前記第２識別情報がユーザにより選択された場合に、ユーザから選択された前記第２識別情報を特定する選択第２識別情報特定手段と、
前記第２識別情報表示手段により表示された前記第２識別情報がユーザにより選択されたときに、前記表示画面に表示されていた前記第１ページ情報の前記第１識別情報である表示中第１識別情報を特定する表示中第１識別情報特定手段と
をさらに有し、
前記ページ情報抽出手段は、前記選択第２識別情報特定手段により特定された前記第２識別情報および前記表示中第１識別情報特定手段により特定された前記表示中第１識別情報に基づいて、前記ページ情報収集手段から前記ネットワークを介して第３ページ情報を抽出し、
前記ページ情報表示手段は、前記第１ページ情報から、他のページ情報を介することなく連続して、前記第１ページ情報に対応する前記第１識別情報と同一の前記第１識別情報に対応する前記第３ページ情報に切り換えて表示することを特徴とする携帯端末。
【請求項７】
第１識別情報および第２識別情報により特定されるページ情報を、前記第１識別情報および前記第２識別情報に対応付けて収集するページ情報収集手段から、ネットワークを介して第１ページ情報を抽出するページ情報抽出手段と、
前記ページ情報抽出手段が抽出した前記第１ページ情報を表示画面に表示するページ情報表示手段と、
前記ページ情報表示手段がこれまでに表示した前記ページ情報の前記第１識別情報および前記第２識別情報を蓄積する識別情報蓄積手段と、
前記識別情報蓄積手段が蓄積している前記第１識別情報を前記第１ページ情報と同時に前記表示画面に表示する第１識別情報表示手段と、
前記第１識別情報表示手段により表示された前記第１識別情報がユーザにより選択された場合に、ユーザから選択された前記第１識別情報を特定する選択第１識別情報特定手段と、
前記第１識別情報表示手段により表示された前記第１識別情報がユーザにより選択されたときに、前記表示画面に表示されていた前記第１ページ情報の前記第２識別情報である表示中第２識別情報を特定する表示中第２識別情報特定手段と
を備え、
前記ページ情報抽出手段は、前記選択第１識別情報特定手段により特定された前記第１識別情報および前記表示中第２識別情報特定手段により特定された前記表示中第２識別情報に基づいて、前記ページ情報収集手段から前記ネットワークを介して前記第２ページ情報を抽出し、
前記ページ情報表示手段は、前記第１ページ情報から、他のページ情報を介することなく連続して、前記第１ページ情報に対応する前記第２識別情報と同一の前記第２識別情報に対応する前記第２ページ情報に切り換えて前記表示画面に表示し、
前記識別情報蓄積手段が蓄積している前記第２識別情報を前記第１ページ情報と同時に前記表示画面に表示する第２識別情報表示手段と、
前記第２識別情報表示手段により表示された前記第２識別情報がユーザにより選択された場合に、ユーザから選択された前記第２識別情報を特定する選択第２識別情報特定手段と、
前記第２識別情報表示手段により表示された前記第２識別情報がユーザにより選択されたときに、前記表示画面に表示されていた前記第１ページ情報の前記第１識別情報である表示中第１識別情報を特定する表示中第１識別情報特定手段と
をさらに有し、
前記ページ情報抽出手段は、前記選択第２識別情報特定手段により特定された前記第２識別情報および前記表示中第１識別情報特定手段により特定された前記表示中第１識別情報に基づいて、前記ページ情報収集手段から前記ネットワークを介して第３ページ情報を抽出し、
前記ページ情報表示手段は、前記第１ページ情報から、他のページ情報を介することなく連続して、前記第１ページ情報に対応する前記第１識別情報と同一の前記第１識別情報に対応する前記第３ページ情報に切り換えて表示することを特徴とする情報提供装置。
【請求項８】
ページ情報抽出手段が、第１識別情報および第２識別情報により特定されるページ情報を、前記第１識別情報および前記第２識別情報に対応付けて収集するページ情報収集手段から、ネットワークを介して第１ページ情報を抽出する第１ページ情報抽出ステップと、
ページ情報表示手段が、前記ページ情報抽出ステップにおいて抽出された前記第１ページ情報を表示画面に表示する第１ページ情報表示ステップと、
第１識別情報表示手段が、前記ページ情報表示ステップにおいてこれまでに表示された前記ページ情報の前記第１識別情報および前記第２識別情報を蓄積する識別情報蓄積手段が蓄積している前記第１識別情報を前記第１ページ情報と同時に前記表示画面に表示する第１識別情報表示ステップと、
選択第１識別情報特定手段が、前記第１識別情報表示ステップにおいて表示された前記第１識別情報がユーザにより選択された場合に、ユーザから選択された前記第１識別情報を特定する選択第１識別情報特定ステップと、
表示中第２識別情報特定手段が、前記第１識別情報表示ステップにおいて表示された前記第１識別情報がユーザにより選択されたときに、前記表示画面に表示されていた前記第１ページ情報の前記第２識別情報である表示中第２識別情報を特定する表示中第２識別情報特定ステップと、
前記ページ情報抽出手段が、前記選択第１識別情報特定ステップにおいて特定された前記第１識別情報および前記表示中第２識別情報特定ステップにおいて特定された前記表示中第２識別情報に基づいて、前記ページ情報収集手段から前記ネットワークを介して前記第２ページ情報を抽出する第２ページ情報抽出ステップと、
前記ページ情報表示手段が、前記第１ページ情報から、他のページ情報を介することなく連続して、前記第１ページ情報に対応する前記第２識別情報と同一の前記第２識別情報に対応する前記第２ページ情報に切り換えて前記表示画面に表示する第２ページ情報表示ステップと、
第２識別情報表示手段が、前記識別情報蓄積手段が蓄積している前記第２識別情報を前記第１ページ情報と同時に前記表示画面に表示する第２識別情報表示ステップと、
選択第２識別情報特定手段が、前記第２識別情報表示ステップにおいて表示された前記第２識別情報がユーザにより選択された場合に、ユーザから選択された前記第２識別情報を特定する選択第２識別情報特定ステップと、
表示中第１識別情報特定手段が、前記第２識別情報表示ステップにおいて表示された前記第２識別情報がユーザにより選択されたときに、前記表示画面に表示されていた前記第１ページ情報の前記第１識別情報である表示中第１識別情報を特定する表示中第１識別情報特定ステップと、
前記ページ情報抽出手段が、前記選択第２識別情報特定ステップにおいて特定された前記第２識別情報および前記表示中第１識別情報特定ステップにおいて特定された前記表示中第１識別情報に基づいて、前記ページ情報収集手段から前記ネットワークを介して第３ページ情報を抽出する第３ページ情報抽出ステップと、
前記ページ情報表示手段が、前記第１ページ情報から、他のページ情報を介することなく連続して、前記第１ページ情報に対応する前記第１識別情報と同一の前記第１識別情報に対応する前記第３ページ情報に切り換えて表示する第３ページ表示ステップと
を有することを特徴とする情報提供方法。
【請求項９】
コンピュータに情報提供処理を実行させるための情報提供プログラムであって、
前記コンピュータに、
第１識別情報および第２識別情報により特定されるページ情報を、前記第１識別情報および前記第２識別情報に対応付けて収集するページ情報収集手段から、ネットワークを介して第１ページ情報を抽出する第１ページ情報抽出ステップと、
前記ページ情報抽出ステップにおいて抽出された前記第１ページ情報を表示画面に表示する第１ページ情報表示ステップと、
前記ページ情報表示ステップにおいてこれまでに表示された前記ページ情報の前記第１識別情報および前記第２識別情報を蓄積する識別情報蓄積手段が蓄積している前記第１識別情報を前記第１ページ情報と同時に前記表示画面に表示する第１識別情報表示ステップと、
前記第１識別情報表示ステップにおいて表示された前記第１識別情報がユーザにより選択された場合に、ユーザから選択された前記第１識別情報を特定する選択第１識別情報特定ステップと、
前記第１識別情報表示ステップにおいて表示された前記第１識別情報がユーザにより選択されたときに、前記表示画面に表示されていた前記第１ページ情報の前記第２識別情報である表示中第２識別情報を特定する表示中第２識別情報特定ステップと、
前記選択第１識別情報特定ステップにおいて特定された前記第１識別情報および前記表示中第２識別情報特定ステップにおいて特定された前記表示中第２識別情報に基づいて、前記ページ情報収集手段から前記ネットワークを介して前記第２ページ情報を抽出する第２ページ情報抽出ステップと、
前記第１ページ情報から、他のページ情報を介することなく連続して、前記第１ページ情報に対応する前記第２識別情報と同一の前記第２識別情報に対応する前記第２ページ情報に切り換えて前記表示画面に表示する第２ページ情報表示ステップと、
前記識別情報蓄積手段が蓄積している前記第２識別情報を前記第１ページ情報と同時に前記表示画面に表示する第２識別情報表示ステップと、
前記第２識別情報表示ステップにおいて表示された前記第２識別情報がユーザにより選択された場合に、ユーザから選択された前記第２識別情報を特定する選択第２識別情報特定ステップと、
前記第２識別情報表示ステップにおいて表示された前記第２識別情報がユーザにより選択されたときに、前記表示画面に表示されていた前記第１ページ情報の前記第１識別情報である表示中第１識別情報を特定する表示中第１識別情報特定ステップと、
前記選択第２識別情報特定ステップにおいて特定された前記第２識別情報および前記表示中第１識別情報特定ステップにおいて特定された前記表示中第１識別情報に基づいて、前記ページ情報収集手段から前記ネットワークを介して第３ページ情報を抽出する第３ページ情報抽出ステップと、
前記ページ情報表示手段が、前記第１ページ情報から、他のページ情報を介することなく連続して、前記第１ページ情報に対応する前記第１識別情報と同一の前記第１識別情報に対応する前記第３ページ情報に切り換えて表示する第３ページ表示ステップと
を実行させるための情報提供プログラム。
【発明の詳細な説明】
【技術分野】
【０００１】
本発明は、サーバが保持する情報をユーザに提供する情報提供システム、情報提供装置、携帯端末、情報提供方法および情報提供プログラムに関するものである。
【背景技術】
【０００２】
近年、インターネットを利用したオンライントレードが盛んになってきている。これに伴い、オンライントレードに関する様々な技術が開発されている。例えば、携帯端末において、有価証券関連情報の時系列的な変化を示す図形を利用者に見易い状態で表示するような装置が開示されている（例えば、「特許文献１」参照）。
【０００３】
【特許文献１】特開２００１−２４９６５８号公報
【発明の開示】
【発明が解決しようとする課題】
【０００４】
しかしながら、オンライントレードにおいては、様々な銘柄において、例えば気配値（板）、クォートなど様々な情報をユーザの希望に添って迅速に提供する必要がある。また、例えば、注目している複数の銘柄の気配値（板）を見比べるなど、異なる銘柄の同一種別の情報を同時に閲覧したいという希望もある。
【０００５】
本発明は、上記に鑑みてなされたものであって、煩雑な操作を行うことなく、ユーザの希望する情報をユーザに提供することのできる情報提供システム、携帯端末、情報提供装置、情報提供方法および情報提供プログラムを提供することを目的とする。
【課題を解決するための手段】
【０００６】
上述した課題を解決し、目的を達成するために、請求項１にかかる発明は、ユーザに提供すべき情報を表示する携帯端末と、前記携帯端末が提供すべきページ情報を保持するページ情報サーバとを備えた情報提供システムであって、前記ページ情報サーバは、第１識別情報および第２識別情報により特定される前記ページ情報を、前記第１識別情報および前記第２識別情報に対応付けて収集するページ情報収集手段を有し、前記携帯端末は、前記ページ情報収集手段から、所定のページ情報を抽出するページ情報抽出手段と、前記ページ情報抽出手段が抽出した前記ページ情報を表示するページ情報表示手段と、前記ページ情報表示手段がこれまでに表示した前記ページ情報の前記第１識別情報を蓄積する第１識別情報蓄積手段と、前記第１識別情報蓄積手段が蓄積している前記第１識別情報を表示する第１識別情報表示手段と、前記第１識別情報表示手段により表示された前記第１識別情報がユーザにより選択された場合に、ユーザから選択された前記第１識別情報を特定する選択第１識別情報特定手段と、前記第１識別情報表示手段により表示された前記第１識別情報がユーザにより選択されたときに、前記ページ情報表示手段が表示していた前記ページ情報の前記第２識別情報である表示中第２識別情報を特定する表示中第２識別情報特定手段とを有し、前記ページ情報抽出手段は、前記選択第１識別情報特定手段により特定された前記第１識別情報および前記表示中第２識別情報特定手段により特定された前記表示中第２識別情報に基づいて、前記ページ情報収集手段から前記ページ情報を抽出し、前記ページ情報表示手段は、前記ページ情報抽出手段により抽出された前記ページ情報を表示することを特徴とする。
【０００７】
また、請求項２にかかる発明は、請求項１に記載の情報提供システムであって、前記第１識別情報は、有価証券の銘柄であって、前記第２識別情報は、有価証券における各種情報を識別する情報種別であることを特徴とする。
【０００８】
また、請求項３にかかる発明は、請求項１または２に記載の情報提供システムであって、前記ページ情報表示手段が表示中の前記ページ情報の前記第２識別情報を保持する表示中第２識別情報保持手段をさらに備え、前記表示中第２識別情報特定手段は、前記表示中第２識別情報保持手段が保持する前記第２識別情報を、前記表示中第２識別情報として特定することを特徴とする。
【０００９】
また、請求項４にかかる発明は、請求項１から３のいずれか一項に記載の情報提供システムであって、前記第２識別情報がユーザにより選択された場合に、ユーザから選択された前記第２識別情報を特定する選択第２識別情報特定手段と、前記第２識別情報がユーザにより選択されたときに、前記ページ情報表示手段が表示していた前記ページ情報の前記第１識別情報である表示中第１識別情報を特定する表示中第１識別情報特定手段とを備え、前記ページ情報抽出手段は、前記選択第２識別情報特定手段により特定された前記第２識別情報および前記表示中第１識別情報特定手段により特定された前記第１識別情報に基づいて、前記ページ情報収集手段から前記ページ情報を抽出し、前記ページ情報表示手段は、前記ページ情報抽出手段により抽出された前記ページ情報を表示することを特徴とする。
【００１０】
また、請求項５にかかる発明は、請求項４に記載の情報提供システムであって、前記ページ情報表示手段が表示中の前記ページ情報の前記第１識別情報を保持する表示中第１識別情報保持手段をさらに備え、前記表示中第１識別情報特定手段は、前記表示中第１識別情報保持手段が保持する前記第１識別情報を、前記表示中第２識別情報として特定することを特徴とする。
【００１１】
また、請求項６にかかる発明は、請求項１から５のいずれか一項に記載の情報提供システムであって、前記第１識別情報蓄積手段は、蓄積している前記第１識別情報の数が予め設定された閾値と等しい場合には、最も古い前記第１識別情報を削除した後に新たな前記第１識別情報を蓄積することを特徴とする。
【００１２】
また、請求項７にかかる発明は、携帯端末であって、第１識別情報および第２識別情報により特定されるページ情報を、前記第１識別情報および前記第２識別情報に対応付けて収集するページ情報収集手段から、所定のページ情報を抽出するページ情報抽出手段と、前記ページ情報抽出手段が抽出した前記ページ情報を表示するページ情報表示手段と、前記ページ情報表示手段がこれまでに表示した前記ページ情報の前記第１識別情報を蓄積する第１識別情報蓄積手段と、前記第１識別情報蓄積手段が蓄積している前記第１識別情報を表示する第１識別情報表示手段と、前記第１識別情報表示手段により表示された前記第１識別情報がユーザにより選択された場合に、ユーザから選択された前記第１識別情報を特定する選択第１識別情報特定手段と、前記第１識別情報表示手段により表示された前記第１識別情報がユーザにより選択されたときに、前記ページ情報表示手段が表示していた前記ページ情報の前記第２識別情報である表示中第２識別情報を特定する表示中第２識別情報特定手段とを備え、前記ページ情報抽出手段は、前記選択第１識別情報特定手段により特定された前記第１識別情報および前記表示中第２識別情報特定手段により特定された前記表示中第２識別情報に基づいて、前記ページ情報収集手段から前記ページ情報を抽出し、前記ページ情報表示手段は、前記ページ情報抽出手段により抽出された前記ページ情報を表示することを特徴とする。
【００１３】
また、請求項８にかかる発明は、情報提供装置であって、第１識別情報および第２識別情報により特定されるページ情報を、前記第１識別情報および前記第２識別情報に対応付けて収集するページ情報収集手段から、所定のページ情報を抽出するページ情報抽出手段と、前記ページ情報抽出手段が抽出した前記ページ情報を表示するページ情報表示手段と、前記ページ情報表示手段がこれまでに表示した前記ページ情報の前記第１識別情報を蓄積する第１識別情報蓄積手段と、前記第１識別情報蓄積手段が蓄積している前記第１識別情報を表示する第１識別情報表示手段と、前記第１識別情報表示手段により表示された前記第１識別情報がユーザにより選択された場合に、ユーザから選択された前記第１識別情報を特定する選択第１識別情報特定手段と、前記第１識別情報表示手段により表示された前記第１識別情報がユーザにより選択されたときに、前記ページ情報表示手段が表示していた前記ページ情報の前記第２識別情報である表示中第２識別情報を特定する表示中第２識別情報特定手段とを備え、前記ページ情報抽出手段は、前記選択第１識別情報特定手段により特定された前記第１識別情報および前記表示中第２識別情報特定手段により特定された前記表示中第２識別情報に基づいて、前記ページ情報収集手段から前記ページ情報を抽出し、前記ページ情報表示手段は、前記ページ情報抽出手段により抽出された前記ページ情報を表示することを特徴とする。
【００１４】
また、請求項９にかかる発明は、情報提供方法であって、第１識別情報および第２識別情報により特定されるページ情報を、前記第１識別情報および前記第２識別情報に対応付けて収集するページ情報収集手段から、所定のページ情報を抽出する第１ページ情報抽出ステップと、前記第１ページ情報抽出ステップにおいて抽出した前記ページ情報を表示する第１ページ情報表示ステップと、前記第１ページ情報表示ステップにおいてこれまでに表示された前記ページ情報の前記第１識別情報を第１識別情報蓄積手段に蓄積する第１識別情報蓄積ステップと、前記第１識別情報蓄積手段が蓄積している前記第１識別情報を表示する第１識別情報表示ステップと、前記第１識別情報表示ステップにおいて表示された前記第１識別情報がユーザにより選択された場合に、ユーザから選択された前記第１識別情報を特定する選択第１識別情報特定ステップと、前記第１識別情報表示ステップにおいて表示された前記第１識別情報がユーザにより選択されたときに、表示されていた前記ページ情報の前記第２識別情報である表示中第２識別情報を特定する表示中第２識別情報特定ステップと、前記選択第１識別情報特定ステップにおいて特定された前記第１識別情報および前記表示中第２識別情報特定ステップにより特定された前記表示中第２識別情報に基づいて、前記ページ情報収集手段から前記ページ情報を抽出する第２ページ情報抽出ステップと、前記第２ページ情報抽出ステップにおいて抽出された前記ページ情報を表示する第２ページ情報表示ステップとを有することを特徴とする。
【００１５】
また、請求項１０にかかる発明は、情報提供処理をコンピュータに実行させる情報提供プログラムであって、第１識別情報および第２識別情報により特定されるページ情報を、前記第１識別情報および前記第２識別情報に対応付けて収集するページ情報収集手段から、所定のページ情報を抽出する第１ページ情報抽出ステップと、前記第１ページ情報抽出ステップにおいて抽出した前記ページ情報を表示する第１ページ情報表示ステップと、前記第１ページ情報表示ステップにおいてこれまでに表示された前記ページ情報の前記第１識別情報を第１識別情報蓄積手段に蓄積する第１識別情報蓄積ステップと、前記第１識別情報蓄積手段が蓄積している前記第１識別情報を表示する第１識別情報表示ステップと、前記第１識別情報表示ステップにおいて表示された前記第１識別情報がユーザにより選択された場合に、ユーザから選択された前記第１識別情報を特定する選択第１識別情報特定ステップと、前記第１識別情報表示ステップにおいて表示された前記第１識別情報がユーザにより選択されたときに、表示されていた前記ページ情報の前記第２識別情報である表示中第２識別情報を特定する表示中第２識別情報特定ステップと、前記選択第１識別情報特定ステップにおいて特定された前記第１識別情報および前記表示中第２識別情報特定ステップにより特定された前記表示中第２識別情報に基づいて、前記ページ情報収集手段から前記ページ情報を抽出する第２ページ情報抽出ステップと、前記第２ページ情報抽出ステップにおいて抽出された前記ページ情報を表示する第２ページ情報表示ステップとを有することを特徴とする。
【発明の効果】
【００１６】
請求項１にかかる発明によれば、ページ情報サーバのページ情報収集手段が、第１識別情報および第２識別情報により特定されるページ情報を、第１識別情報および第２識別情報に対応付けて収集し、携帯端末のページ情報抽出手段が、ページ情報収集手段から、所定のページ情報を抽出し、ページ情報表示手段が、ページ情報抽出手段が抽出したページ情報を表示し、第１識別情報蓄積手段が、ページ情報表示手段がこれまでに表示したページ情報の第１識別情報を蓄積し、第１識別情報表示手段が、第１識別情報蓄積手段が蓄積している第１識別情報を表示し、選択第１識別情報特定手段が、第１識別情報表示手段により表示された第１識別情報がユーザにより選択された場合に、ユーザから選択された第１識別情報を特定し、表示中第２識別情報特定手段が、第１識別情報表示手段により表示された第１識別情報がユーザにより選択されたときに、ページ情報表示手段が表示していたページ情報の第２識別情報である表示中第２識別情報を特定し、ページ情報抽出手段が、選択第１識別情報特定手段により特定された第１識別情報および表示中第２識別情報特定手段により特定された表示中第２識別情報に基づいて、ページ情報収集手段からページ情報を抽出し、ページ情報表示手段が、ページ情報抽出手段により抽出されたページ情報を表示するので、煩雑な操作を行うことなく、ユーザの希望する情報をユーザに提供することができるという効果を奏する。
【００１７】
また、請求項２にかかる発明によれば、第１識別情報が、有価証券の銘柄であって、第２識別情報が有価証券における各種情報を識別する情報種別であるので、有価証券情報の検索においても、煩雑な操作を行うことなく、ユーザの希望する情報をユーザに提供することができるという効果を奏する。
【００１８】
また、請求項３にかかる発明によれば、表示中第２識別情報保持手段が、ページ情報表示手段が表示中のページ情報の第２識別情報を保持し、表示中第２識別情報特定手段が、表示中第２識別情報保持手段が保持する第２識別情報を、表示中第２識別情報として特定するので、ユーザからの指示を受けることなく表示中第２識別情報を特定し、ユーザの希望する情報をユーザに提供することができるという効果を奏する。
【００１９】
また、請求項４にかかる発明によれば、選択第２識別情報特定手段が、第２識別情報がユーザにより選択された場合に、ユーザから選択された第２識別情報を特定し、表示中第１識別情報特定手段が、第２識別情報がユーザにより選択されたときに、ページ情報表示手段が表示していたページ情報の第１識別情報である表示中第１識別情報を特定し、ページ情報抽出手段が、選択第２識別情報特定手段により特定された第２識別情報および表示中第１識別情報特定手段により特定された第１識別情報に基づいて、ページ情報収集手段からページ情報を抽出し、ページ情報表示手段が、ページ情報抽出手段により抽出されたページ情報を表示するので、煩雑な操作を行うことなく、ユーザの希望する情報をユーザに提供することができるという効果を奏する。
【００２０】
また、請求項５にかかる発明によれば、表示中第１識別情報保持手段が、ページ情報表示手段が表示中のページ情報の第１識別情報を保持し、表示中第１識別情報特定手段が、表示中第１識別情報保持手段が保持する第１識別情報を、表示中第２識別情報として特定するので、ユーザからの指示を受けることなく表示中第１識別情報を特定し、ユーザの希望する情報をユーザに提供することができるという効果を奏する。
【００２１】
また、請求項６にかかる発明によれば、第１識別情報蓄積手段が、蓄積している第１識別情報の数が予め設定された閾値と等しい場合には、最も古い第１識別情報を削除した後に新たな第１識別情報を蓄積することを特徴とするので、第１識別情報表示手段が表示する第１識別情報の数が多くなり表示内容が煩雑になるのを避けることができるという効果を奏する。
【００２２】
また、請求項７にかかる発明によれば、ページ情報抽出手段が、第１識別情報および第２識別情報により特定されるページ情報を、第１識別情報および第２識別情報に対応付けて収集するページ情報収集手段から、所定のページ情報を抽出し、ページ情報表示手段が、ページ情報抽出手段が抽出したページ情報を表示し、第１識別情報蓄積手段が、ページ情報表示手段がこれまでに表示したページ情報の第１識別情報を蓄積し、第１識別情報表示手段が、第１識別情報蓄積手段が蓄積している第１識別情報を表示し、選択第１識別情報特定手段が、第１識別情報表示手段により表示された第１識別情報がユーザにより選択された場合に、ユーザから選択された第１識別情報を特定し、表示中第２識別情報特定手段が、第１識別情報表示手段により表示された第１識別情報がユーザにより選択されたときに、ページ情報表示手段が表示していたページ情報の第２識別情報である表示中第２識別情報を特定し、ページ情報抽出手段は、選択第１識別情報特定手段により特定された第１識別情報および表示中第２識別情報特定手段により特定された表示中第２識別情報に基づいて、ページ情報収集手段からページ情報を抽出し、ページ情報表示手段は、ページ情報抽出手段により抽出されたページ情報を表示するので、煩雑な操作を行うことなく、ユーザの希望する情報をユーザに提供することができるという効果を奏する。
【００２３】
また、請求項８にかかる発明によれば、ページ情報抽出手段が、第１識別情報および第２識別情報により特定されるページ情報を、第１識別情報および第２識別情報に対応付けて収集するページ情報収集手段から、所定のページ情報を抽出し、ページ情報表示手段が、ページ情報抽出手段が抽出したページ情報を表示し、第１識別情報蓄積手段が、ページ情報表示手段がこれまでに表示したページ情報の第１識別情報を蓄積し、第１識別情報表示手段が、第１識別情報蓄積手段が蓄積している第１識別情報を表示し、選択第１識別情報特定手段が、第１識別情報表示手段により表示された第１識別情報がユーザにより選択された場合に、ユーザから選択された第１識別情報を特定し、表示中第２識別情報特定手段が、第１識別情報表示手段により表示された第１識別情報がユーザにより選択されたときに、ページ情報表示手段が表示していたページ情報の第２識別情報である表示中第２識別情報を特定し、ページ情報抽出手段は、選択第１識別情報特定手段により特定された第１識別情報および表示中第２識別情報特定手段により特定された表示中第２識別情報に基づいて、ページ情報収集手段からページ情報を抽出し、ページ情報表示手段は、ページ情報抽出手段により抽出されたページ情報を表示するので、煩雑な操作を行うことなく、ユーザの希望する情報をユーザに提供することができるという効果を奏する。
【００２４】
また、請求項９にかかる発明によれば、第１ページ情報抽出ステップにおいて、第１識別情報および第２識別情報により特定されるページ情報を、第１識別情報および第２識別情報に対応付けて収集するページ情報収集手段から、所定のページ情報を抽出し、第１ページ情報表示ステップにおいて、第１ページ情報抽出ステップにおいて抽出したページ情報を表示し、第１識別情報蓄積ステップにおいて、第１ページ情報表示ステップにおいてこれまでに表示されたページ情報の第１識別情報を第１識別情報蓄積手段に蓄積し、第１識別情報表示ステップにおいて、第１識別情報蓄積手段が蓄積している第１識別情報を表示し、選択第１識別情報特定ステップにおいて、第１識別情報表示ステップにおいて表示された第１識別情報がユーザにより選択された場合に、ユーザから選択された第１識別情報を特定し、表示中第２識別情報特定ステップにおいて、第１識別情報表示ステップにおいて表示された第１識別情報がユーザにより選択されたときに、表示されていたページ情報の第２識別情報である表示中第２識別情報を特定し、第２ページ情報抽出ステップにおいて、選択第１識別情報特定ステップにおいて特定された第１識別情報および表示中第２識別情報特定ステップにより特定された表示中第２識別情報に基づいて、ページ情報収集手段からページ情報を抽出し、第２ページ情報表示ステップにおいて、第２ページ情報抽出ステップにおいて抽出されたページ情報を表示するので、煩雑な操作を行うことなく、ユーザの希望する情報をユーザに提供することができるという効果を奏する。
【００２５】
また、請求項１０にかかる発明によれば、第１ページ情報抽出ステップにおいて、第１識別情報および第２識別情報により特定されるページ情報を、第１識別情報および第２識別情報に対応付けて収集するページ情報収集手段から、所定のページ情報を抽出し、第１ページ情報表示ステップにおいて、第１ページ情報抽出ステップにおいて抽出したページ情報を表示し、第１識別情報蓄積ステップにおいて、第１ページ情報表示ステップにおいてこれまでに表示されたページ情報の第１識別情報を第１識別情報蓄積手段に蓄積し、第１識別情報表示ステップにおいて、第１識別情報蓄積手段が蓄積している第１識別情報を表示し、選択第１識別情報特定ステップにおいて、第１識別情報表示ステップにおいて表示された第１識別情報がユーザにより選択された場合に、ユーザから選択された第１識別情報を特定し、表示中第２識別情報特定ステップにおいて、第１識別情報表示ステップにおいて表示された第１識別情報がユーザにより選択されたときに、表示されていたページ情報の第２識別情報である表示中第２識別情報を特定し、第２ページ情報抽出ステップにおいて、選択第１識別情報特定ステップにおいて特定された第１識別情報および表示中第２識別情報特定ステップにより特定された表示中第２識別情報に基づいて、ページ情報収集手段からページ情報を抽出し、第２ページ情報表示ステップにおいて、第２ページ情報抽出ステップにおいて抽出されたページ情報を表示するので、煩雑な操作を行うことなく、ユーザの希望する情報をユーザに提供することができるという効果を奏する。
【発明を実施するための最良の形態】
【００２６】
以下に添付図面を参照して、この発明にかかる情報提供システム、情報提供装置、携帯端末、情報提供方法および情報提供プログラムの最良な実施の形態を詳細に説明する。
【００２７】
図１は、実施の形態にかかる情報提供システム１の全体構成を示す図である。情報提供システム１は、携帯端末１０と、情報提供サーバ２０とを備えている。情報提供サーバ２０は、携帯端末１０に提供すべきページ情報を保持している。本実施の形態にかかるページ情報は、有価証券に関する情報であり、有価証券の銘柄と、情報種別の組み合わせにより特定される。ここで、機能種別とは、例えば、気配値（板）、チャート（日中足）、クォートなど銘柄ごとの各種情報を識別する情報である。ここで、実施の形態にかかる有価証券の銘柄および情報種別は、第１識別情報および第２識別情報に相当する。
【００２８】
携帯端末１０は、ネットワークを介して情報提供サーバ２０にアクセスし、ページ情報を取得する。そして、このページ情報を表示画面（図示せず）に表示する。携帯端末１０は、指示受付部１００と、銘柄特定部１０２と、情報種別特定部１０４と、ページ情報抽出部１０６と、表示中銘柄保持部１１０と、表示中情報種別保持部１１２と、銘柄蓄積部１１４と、表示部１２０と、通信部１３０とを備えている。
【００２９】
指示受付部１００は、ユーザからの指示を取得する。ユーザからの指示としては、例えば、ユーザが閲覧を希望するページ情報を表示画面に表示させる旨の指示がある。この場合、ユーザからの指示には、ページ情報を指定すべく銘柄および情報種別が含まれている。
【００３０】
銘柄特定部１０２は、指示受付部１００からの指示に基づいて、表示画面に表示させるべきページ情報の銘柄を特定する。情報種別特定部１０４は、指示受付部１００からの指示に基づいて、表示画面に表示させるべきページ情報の機能種別を特定する。ここで、銘柄特定部１０２および情報種別特定部１０４は、第１識別情報特定手段および第２識別情報特定手段に相当する。
【００３１】
通信部１３０は、情報提供サーバ２０とのデータの送受信を行う。ページ情報抽出部１０６は、通信部１３０を介して情報提供サーバ２０からページ情報を抽出する。具体的には、銘柄特定部１０２により特定された銘柄と、情報種別特定部１０４により特定された情報種別とに基づいて、情報提供サーバ２０に保持されるページ情報の中から、ユーザから指示されたページ情報を抽出する。
【００３２】
表示部１２０は、ページ情報抽出部１０６により特定されたページ情報を表示画面に表示する。表示中銘柄保持部１１０は、ページ情報抽出部１０６が抽出したページ情報の銘柄、すなわち表示部１２０が表示中の銘柄である表示中銘柄を保持する。表示中情報種別保持部１１２は、ページ情報抽出部１０６が抽出したページ情報の情報種別、すなわち表示部１２０が表示中の情報種別である表示中情報種別を保持する。銘柄蓄積部１１４は、これまでに表示部１２０が保持したページ情報の銘柄を蓄積する。
【００３３】
図２は、銘柄蓄積部１１４のデータ構成を模式的に示す図である。銘柄蓄積部１１４は、表示部１２０にページ情報が表示される毎に、表示されたページ情報の銘柄を蓄積していく。このように、銘柄蓄積部１１４が、これまでに表示したページ情報の銘柄を蓄積しておくので、ユーザからの指示に応じて、これらの銘柄をユーザに示すことができる。
【００３４】
本実施の形態にかかる銘柄蓄積部１１４は、最大１０個の銘柄を蓄積する。これ以上の銘柄を蓄積する場合には、最も古い銘柄を削除した後に新たな銘柄を蓄積する。このように、蓄積する個数を最大１０個とすることにより、ユーザに示す際に、銘柄が多すぎて情報が煩雑になるのを防ぐことができる。
【００３５】
なお、他の例としては、銘柄蓄積部１１４に蓄積可能な最大個数は、ユーザからの指示に応じて変更可能であってもよい。
【００３６】
図３は、情報提供サーバ２０の機能構成を示すブロック図である。情報提供サーバ２０は、ページ情報取得部２００と、ページ情報収集部２０２と、ページ情報抽出部２０４と、通信部２０６とを備えている。
【００３７】
通信部２０６は、携帯端末１０とデータの送受信を行う。ページ情報取得部２００は、外部からページ情報を取得する。ページ情報取得部２００は、例えば、携帯端末１０からページ情報を要求されるたびに、要求されたページ情報を取得してもよい。また、他の例としては、定期的に各ページ情報を取得してもよい。
【００３８】
ページ情報収集部２０２は、ページ情報取得部２００が取得した各ページ情報を銘柄および情報種別に対応付けて保持している。図４は、ページ情報収集部２０２のデータ構成を示す図である。ページ情報収集部２０２は、銘柄ごとに、各情報種別に対応する複数のページ情報を保持している。すなわち、ページ情報は、銘柄および情報種別の２つの情報により特定される情報である。したがって、ページ情報抽出部１０６は、銘柄および情報種別により１つのページ情報を特定し、抽出することができる。
【００３９】
再び説明を図３に戻す。ページ情報抽出部２０４は、通信部２０６を介してページ情報の抽出要求を取得した場合に、要求されたページ情報をページ情報収集部２０２から抽出する。抽出されたページ情報は、通信部２０６を介して携帯端末１０に送信される。
【００４０】
図５は、携帯端末１０および情報提供サーバ２０により実現される処理を説明するための図である。上述のように、情報提供サーバ２０のページ情報収集部２０２は、銘柄および機能種別に対応付けて各ページ情報を収集している。そして、携帯端末１０は、情報提供サーバ２０にアクセスし、希望のページ情報を取得することができる。
【００４１】
さらに、本実施の形態にかかる携帯端末１０においては、例えばユーザにより銘柄が選択されると、選択された銘柄と、現在表示中のページの情報種別とにより特定されるページ情報を取得することができる。すなわち、１つの操作により、同一の情報種別において異なる銘柄のページ情報を特定することができる。すなわち、１つの操作により同一の情報種別における異なる銘柄のページ情報を交互に切り替えて表示することができるので、これらのページ情報を比較して閲覧するのに適している。
【００４２】
同様に、ユーザにより情報種別が選択されると、選択された情報種別と、現在表示中のページ情報の銘柄とにより特定されるページ情報を取得することができる。すなわち、図４に示すように、同一の銘柄において異なる情報種別のページ情報を特定することができる。
【００４３】
図６は、本実施の形態にかかる携帯端末１０による情報提供処理を示すフローチャートである。まず、ユーザから希望するページ情報を表示画面に表示させる旨の指示を受け付けると、銘柄特定部１０２は、指示に示される銘柄を特定し、情報種別特定部１０４は、指示に示される情報種別を特定する（ステップＳ１００）。
【００４４】
次に、ページ情報抽出部１０６は、銘柄特定部１０２により特定された銘柄および情報種別特定部１０４により特定された情報種別に基づいて、ページ情報収集部２０２に保持されているページ情報からユーザが希望するページ情報を抽出する（ステップＳ１０２）。次に、表示部１２０は、ページ情報抽出部１０６により抽出されたページ情報を表示する（ステップＳ１０４）。さらに、表示中銘柄保持部１１０は、ページ情報抽出部１０６により抽出されたページ情報の銘柄、すなわち表示中銘柄を保持する（ステップＳ１０６）。
【００４５】
また、銘柄蓄積部１１４は、現在蓄積している銘柄の数、すなわち蓄積数が閾値と等しい場合には（ステップＳ１０８，Ｙｅｓ）、最も古い銘柄を削除する（ステップＳ１１０）。次に、新たな銘柄を蓄積する（ステップＳ１１２）。蓄積数が閾値よりも小さい場合には（ステップＳ１０８，Ｎｏ）、ステップＳ１１２へ進み、新たな銘柄を蓄積する。表示中情報種別保持部１１２は、ページ情報抽出部１０６により抽出されたページ情報の情報種別、すなわち表示中情報種別を保持する（ステップＳ１１４）。
【００４６】
こうして、ユーザが希望するページ情報が表示されているときに、指示受付部１００がユーザからの情報種別を変更する旨を示す指示を取得した場合には（ステップＳ１２０，Ｙｅｓ）、情報種別特定部１０４は、指示に示される情報種別を特定する（ステップＳ１２２）。すなわち、本実施の形態にかかる情報種別特定部１０４は、選択第２識別情報特定手段に相当する。
【００４７】
さらに、銘柄特定部１０２は、表示部１２０が現在表示しているページ情報の銘柄を特定する（ステップＳ１２４）。具体的には、表示中銘柄保持部１１０が保持する表示中銘柄を現在表示中のページ情報の銘柄として特定する。すなわち、本実施の形態にかかる銘柄特定部１０２は、表示中第１識別情報特定手段に相当する。
【００４８】
次に、ステップＳ１０２に戻り、ページ情報抽出部１０６は、ユーザからの指示に示される情報種別と、現在表示中の銘柄とにより特定されるページ情報をページ情報収集部２０２から抽出する（ステップＳ１０２）。
【００４９】
一方、（ステップＳ１０４においてユーザが希望するページ情報が表示された後に銘柄蓄積部１１４が蓄積している銘柄を表示する旨の指示を取得した場合には（ステップＳ１２０，Ｎｏ、ステップＳ１３０，Ｙｅｓ）、表示部１２０は、銘柄蓄積部１１４が保持する銘柄を表示画面に一覧表示する（ステップＳ１３２）。
【００５０】
ユーザがこの中から所定の銘柄を選択すると、指示受付部１００は、選択された銘柄を受け付ける。そして、銘柄特定部１０２は、指示受付部１００が受け付けた銘柄を、表示すべきページ情報の銘柄として特定する（ステップＳ１３４）。すなわち、本実施の形態にかかる銘柄特定部１０２は、選択第１識別情報特定手段に相当する。
【００５１】
次に、情報種別特定部１０４は、表示部１２０が現在表示しているページ情報の情報種別を特定する（ステップＳ１３６）。具体的には、表示中情報種別保持部１１２が保持する表示中情報種別を現在表示中のページ情報の情報種別として特定する。すなわち、本実施の形態にかかる情報種別特定部１０４は、表示中第２識別情報特定手段に相当する。
【００５２】
次に、ステップＳ１０２に戻り、ページ情報抽出部１０６は、ユーザからの指示に示される情報種別と、現在表示中の銘柄とにより特定されるページ情報をページ情報収集部２０２から抽出する（ステップＳ１０２）。
【００５３】
次に、図７から図１２を参照しつつ、携帯端末１０の情報提供処理をより具体的に説明する。図７は、ユーザからの銘柄選択を受け付ける銘柄選択画面を示す図である。銘柄選択画面には、コード入力領域と銘柄入力領域がある。いずれかの領域に所望の銘柄を特定するための情報を入力することができる。さらに、情報種別入力領域があり、ここに情報種別を入力することができる。
【００５４】
銘柄選択画面において銘柄および情報種別が入力されると、これらの銘柄および情報種別が特定され、特定された銘柄および情報種別により特定されるページ情報を表示すべき旨の指示が指示受付部１００に送られる。
【００５５】
図８は、ユーザからの銘柄選択を受け付ける銘柄選択画面の他の例を示す図である。各銘柄のランキング画面において所望の銘柄を選択してもよい。
【００５６】
図９は、図７に示す銘柄選択画面において銘柄「ＡＢＣ会社」、情報種別「気配値（板）」が選択された場合に表示されるページ情報を示す図である。このように、表示画面には、銘柄および情報種別により特定されるページ情報が表示される。さらに、図９に示す表示画面には、「情報種別」ボタンが含まれている。ユーザがこのボタンを選択すると、同一銘柄において情報種別の異なるページ情報が表示される。
【００５７】
図１０は、図９の表示画面において、情報種別ボタンが選択された場合の表示画面を示す図である。このように、情報種別一覧が表示される。ユーザは、この情報種別一覧において、希望の情報種別を選択することができる。
【００５８】
図１１は、図１０の表示画面において情報種別「チャート（日中足）」が選択された場合に表示されるページ情報を示す図である。このように、同一の銘柄において選択された情報種別により特定されるページ情報が表示される。
【００５９】
図１２は、銘柄一覧を表示する表示画面を示す図である。例えば、図１１に示す表示画面において「ＡＢＣ会社」の欄をクリックすることにより、図１２に示すような銘柄一覧を表示させることができる。この銘柄一覧には、銘柄蓄積部１１４が保持する銘柄が表される。図１２は、図２に示す内容が銘柄蓄積部１１４に保持される場合に表示される銘柄一覧を示している。さらに、各ページ情報の表示順は、表示時刻の新しい順に対応している。したがって、ユーザは、以前閲覧した銘柄を容易に選択することができる。
【００６０】
図１３は、図１２に示す表示画面において、「ＤＥＦ会社」が選択された場合に、次に、表示されるページ情報を示す図である。このように、銘柄「ＤＥＦ会社」の情報種別「チャート（日中足）」により特定されるページ情報が表示される。すなわち、直前に表示されていたページ情報と同一の情報種別であり銘柄の異なるページ情報が表示される。
【００６１】
このように、本実施の形態にかかる携帯端末１０は、銘柄と情報種別とに基づいて、ページ情報を特定する際に、銘柄と情報種別のうち例えば、銘柄の変更指示を受け付けた場合には、変更後の銘柄と現在表示中のページ情報の情報種別により特定されるページ情報を表示する。したがって、例えば、複数の銘柄のチャート（日中足）を交互に見比べたい場合には、銘柄を選択するという１つの操作により、他のページを介することなく複数の銘柄のチャートを連続して表示させることができる。
【００６２】
同様に、情報種別の変更指示を受け付けた場合には、変更後の情報種別と現在表示中のページ情報の情報種別により特定されるページ情報を表示する。したがって、同一の銘柄における異なる情報種別に関する情報を連続して閲覧することができる。
【００６３】
さらに、本実施の形態の携帯端末１０においては、既に閲覧したことのあるページ情報の銘柄を保持し、この銘柄を一覧表示するので、所望の銘柄を予め登録する必要もなく、利便性を向上させることができる。
【００６４】
本実施の形態のように閲覧する情報が有価証券の場合には、気になる銘柄ごとの同一の情報種別を一覧表示するなどして見比べる場合が多い。しかし、携帯端末においては、画面サイズに制限があり、複数画面を同時に表示させるのは困難である。これに対し、本実施の形態にかかる携帯端末１０においては、上述のように１つの操作で各銘柄の同一の情報種別のページ情報を交互に連続して表示させることができるので、携帯端末１０のように表示画面のサイズが制限される場合であっても、ユーザの希望する情報を閲覧しやすい形式で提供することができる。
【００６５】
さらに、異なる銘柄の同一の情報種別のページ情報を表示させる際に、一旦他の銘柄の先頭ページを表示させ、先頭ページにおいて同一の情報種別を選択するなど、他のページを介在する必要もない。
【００６６】
図１４は、実施の形態にかかる携帯端末１０のハードウェア構成を示す図である。携帯端末１０は、ハードウェア構成として、携帯端末１０における情報検索処理を実行する情報検索プログラムなどが格納されているＲＯＭ５２と、ＲＯＭ５２内のプログラムに従って携帯端末１０の各部を制御するＣＰＵ５１と、携帯端末１０の制御に必要な種々のデータを記憶するＲＡＭ５３と、ネットワークに接続して通信を行う通信Ｉ／Ｆ５７と、各部を接続するバス６２とを備えている。
【００６７】
先に述べた携帯端末１０における情報検索プログラムは、インターネット等のネットワークに接続されたコンピュータ上に格納され、ネットワーク経由でダウンロードさせることにより提供するように構成してもよい。
【００６８】
以上、本発明を実施の形態を用いて説明したが、上記実施の形態に多様な変更または改良を加えることができる。
【００６９】
そうした第１の変更例としては、本実施の形態にかかる携帯端末１０にかえてパーソナルコンピュータにおいて携帯端末１０の機能を実現してもよい。
【００７０】
また、第２の変更例としては、本実施の携帯にかかる情報提供システム１が対象とするページ情報は、株式における銘柄と機能種別とにより特定されるものであったが、ページ情報の種類はこれに限定されるものではなく、例えば外貨や、先物取引など刻々と情報が変化する内容に関するページ情報であってもよい。さらに、本例における銘柄のように複数の情報を見比べる必要のある情報を対象とするのが好ましい。
【図面の簡単な説明】
【００７１】
【図１】実施の形態にかかる情報提供システム１の全体構成を示す図である。
【図２】銘柄蓄積部１１４のデータ構成を模式的に示す図である。
【図３】情報提供サーバ２０の機能構成を示すブロック図である。
【図４】ページ情報収集部２０２のデータ構成を示す図である。
【図５】携帯端末１０および情報提供サーバ２０により実現される処理を説明するための図である。
【図６】本実施の形態にかかる携帯端末１０による情報提供処理を示すフローチャートである。
【図７】ユーザからの銘柄選択を受け付ける銘柄選択画面を示す図である。
【図８】ユーザからの銘柄選択を受け付ける銘柄選択画面の他の例を示す図である。
【図９】図７に示す銘柄選択画面において銘柄「ＡＢＣ会社」、情報種別「気配値（板）」が選択された場合に表示されるページ情報を示す図である。
【図１０】図９の表示画面において、情報種別ボタンが選択された場合の表示画面を示す図である。
【図１１】図１０の表示画面において「情報種別」ボタンが選択された場合に、表示されるページ情報を示す図である。
【図１２】銘柄一覧を表示する表示画面を示す図である。
【図１３】図１２に示す表示画面において、「ＤＥＦ会社」が選択された場合に、次に、表示されるページ情報を示す図である。
【図１４】実施の形態にかかる携帯端末１０のハードウェア構成を示す図である。
【符号の説明】
【００７２】
１  情報提供システム
１０  携帯端末
２０  情報提供サーバ
５１  ＣＰＵ
５２  ＲＯＭ
５３  ＲＡＭ
５７  通信I／Ｆ
６２  バス
１００  指示受付部
１０２  銘柄特定部
１０４  情報種別特定部
１０６  ページ情報抽出部
１１０  表示中銘柄保持部
１１２  表示中情報種別保持部
１１４  銘柄蓄積部
１２０  表示部
１３０  通信部
２００  ページ情報取得部
２０２  ページ情報収集部
２０４  ページ情報抽出部
２０６  通信部
【図１】
0004617416.tif 000002
【図２】
0004617416.tif 000003
【図３】
0004617416.tif 000004
【図４】
0004617416.tif 000005
【図５】
0004617416.tif 000006
【図６】
0004617416.tif 000007
【図７】
0004617416.tif 000008
【図８】
0004617416.tif 000009
【図９】
0004617416.tif 000010
【図１０】
0004617416.tif 000011
【図１１】
0004617416.tif 000012
【図１２】
0004617416.tif 000013
【図１３】
0004617416.tif 000014
【図１４】
0004617416.tif 000015